【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
物理的力容量式タッチセンサであって、
基板と、
前記基板の面上の容量センサ要素と、
単一ピースカバーであって、前記単一ピースカバーは、前記容量センサ要素を囲繞する、前記基板上の実質的に変形不可能なスペーサを形成している第１のセクションと、前記容量センサ要素を覆う可撓性カバーを形成している第２のセクションとを備える、単一ピースカバーと、
前記可撓性カバーと結合され、かつ前記容量センサ要素に近接している電気伝導性平面と
を備え、
機械的力が前記電気伝導性平面に印加されるとき、それが、前記容量センサ要素に向かって付勢され、それによって、前記容量センサ要素は、静電容量値を変化させる、物理的力容量式タッチセンサ。
【請求項２】
前記電気伝導性平面は、前記単一ピースカバーの一部である、請求項１に記載の物理的力容量式タッチセンサ。
【請求項３】
前記可撓性カバーと前記電気伝導性平面との間に台板をさらに備える、請求項１に記載の物理的力容量式タッチセンサ。
【請求項４】
前記基板の面上の複数の容量センサ要素であって、前記実質的に変形不可能なスペーサは、前記複数の容量センサ要素を囲繞している、複数の容量センサ要素と、
離間された複数の台板であって、前記複数の台板は、前記可撓性カバーと前記電気伝導性平面との間に配列されており、それによって、前記可撓性カバーを前記電気伝導性平面と結合させる、複数の台板と
をさらに備える、請求項１に記載の物理的力容量式タッチセンサ。
【請求項５】
前記複数の台板は、丸形、正方形、または長方形である、請求項４に記載の物理的力容量式タッチセンサ。
【請求項６】
前記複数の容量センサ要素は、リングを形成するように配列されており、前記電気伝導性平面は、リング形状である、請求項４に記載の物理的力容量式タッチセンサ。
【請求項７】
前記容量センサ要素の周囲の変形可能空間は、前記可撓性カバーおよび前記実質的に変形不可能なスペーサによって生成され、前記可撓性カバーは、光透過性であり、前記変形可能空間は、光源を備え、前記光源は、好ましくは、少なくとも１つの発光ダイオード（ＬＥＤ）である、請求項１に記載の物理的力容量式タッチセンサ。
【請求項８】
前記電気伝導性平面、前記容量センサ要素、前記基板のうちの少なくとも１つは、光透過性であり、前記実質的に変形不可能なスペーサは、光遮断性である、請求項１に記載の物理的力容量式タッチセンサ。
【請求項９】
前記可撓性カバーの面を照射するための光源をさらに備える、請求項１に記載の物理的力容量式タッチセンサ。
【請求項１０】
前記光源は、前記電気伝導性平面と前記可撓性カバーとの間または前記電気伝導性平面と前記容量センサ要素との間または前記容量センサ要素と前記基板との間または前記容量センサ要素が位置する前記基板の反対面上に位置し、それによって、光は、前記基板を通して放光し、前記可撓性カバーを照射する、請求項９に記載の物理的力容量式タッチセンサ。
【請求項１１】
関連付けられた容量センサ要素の機能を示すために、前記可撓性カバー上に英数字印をさらに備える、請求項１に記載の物理的力容量式タッチセンサ。
【請求項１２】
前記英数字印は、前記可撓性カバー上にシルクスクリーン印刷されるか、または、前記英数字印は、前記可撓性カバーの中にエンボス加工されるか、または、前記英数字印は、前記可撓性カバー上に刻印される、請求項１１に記載の物理的力容量式タッチセンサ。
【請求項１３】
前記電気伝導性平面は、前記可撓性カバーの面上に配置されたインジウムスズ酸化物（ＩＴＯ）の層、または前記可撓性カバーの面上に配置されたアンチモンスズ酸化物（ＡＴＯ）の層、または前記可撓性カバーの面上に配置されたグラフェンの層である、請求項１に記載の物理的力容量式タッチセンサ。
【請求項１４】
前記光源は、エレクトロルミネセンス（ＥＬ）層、または有機発光ダイオード（ＯＬＥＤ）層、または発光材料の電気泳動コーティングである、請求項９に記載の物理的力容量式タッチセンサ。
【請求項１５】
前記容量センサ要素は、静電容量値測定回路の入力に結合され、前記電気伝導性平面は、電源コモンまたは接地に結合されるか、または、
前記容量センサ要素は、静電容量値測定回路の第１の入力に結合され、前記電気伝導性平面は、前記静電容量値測定回路の第２の入力に結合され、スイッチは、前記電気伝導性平面および電源コモンまたは接地に結合され、前記スイッチが閉鎖されるとき、前記電気伝導性平面は、前記電源コモンまたは接地に結合され、前記スイッチが開放されるとき、前記電気伝導性平面は、前記静電容量値測定回路の第２の入力と動作する、請求項１に記載の物理的力容量式タッチセンサ。
【請求項１６】
前記基板および前記容量センサ要素は、印刷回路基板から加工される、請求項１に記載の物理的力容量式タッチセンサ。
【請求項１７】
前記基板は、ガラス、プラスチック、金属、または非金属である、請求項１に記載の物理的力容量式タッチセンサ。
【請求項１８】
請求項１〜１７のうちの１項に記載の複数の物理的力容量式タッチセンサを有するユーザインターフェースであって、前記複数の容量センサ要素は、行列に配列されている、ユーザインターフェース。
【手続補正２】
【補正対象書類名】明細書
【補正対象項目名】００４０
【補正方法】変更
【補正の内容】
【００４０】
さらなる実施形態によると、容量式タッチスライダはさらに、電気伝導性変形可能円筒形スリーブにわたって可撓性カバーを備えてもよく、機械的力が可撓性カバーに印加され得るとき、電気伝導性変形可能円筒形スリーブは、複数の容量センサ要素のうちの少なくとも１つに向かって付勢され得る。
本願明細書は、例えば、以下の項目も提供する。
（項目１）
物理的力容量式タッチセンサであって、
基板と、
前記基板の面上の容量センサ要素と、
前記容量センサ要素を囲繞する、前記基板上の実質的に変形不可能なスペーサと、
前記容量センサ要素に近接する電気伝導性平面と、
を備え、
機械的力が前記電気伝導性平面に印加されるとき、それは前記容量センサ要素に向かって付勢され、それによって、前記容量センサ要素は、静電容量値を変化させる、物理的力容量式タッチセンサ。
（項目２）
前記電気伝導性平面は、可撓性で変形可能である、項目１に記載の物理的力容量式タッチセンサ。
（項目３）
前記電気伝導性平面にわたって可撓性カバーをさらに備え、前記機械的力が前記可撓性カバーに印加されるとき、前記電気伝導性平面は、前記容量センサ要素に向かって付勢される、項目１に記載の物理的力容量式タッチセンサ。
（項目４）
前記可撓性カバーと前記電気伝導性平面との間に台板をさらに備える、項目３に記載の物理的力容量式タッチセンサ。
（項目５）
前記容量センサ要素の周囲の変形可能空間は、前記可撓性カバーおよび前記実質的に変形不可能なスペーサによって生成され、前記可撓性カバーは、光透過性であって、前記変形可能空間は、光源を備え、前記光源は、好ましくは、少なくとも１つの発光ダイオード（ＬＥＤ）である、項目３に記載の物理的力容量式タッチセンサ。
（項目６）
前記電気伝導性平面、前記容量センサ要素、前記基板のうちの少なくとも１つは、光透過性であって、前記実質的に変形不可能なスペーサは、光遮断性である、項目１に記載の物理的力容量式タッチセンサ。
（項目７）
前記可撓性カバーの面を照射するための光源をさらに備える、項目３に記載の物理的力容量式タッチセンサ。
（項目８）
前記光源は、前記電気伝導性平面と前記可撓性カバーとの間または前記電気伝導性平面と前記容量センサ要素との間または前記容量センサ要素と前記基板との間または前記容量センサ要素が位置する前記基板の反対面上に位置し、それによって、光は、前記基板を通して放光し、前記可撓性カバーを照射する、項目７に記載の物理的力容量式タッチセンサ。
（項目９）
前記可撓性カバー上に英数字印をさらに備え、関連付けられた容量センサ要素の機能を示す、項目３に記載の物理的力容量式タッチセンサ。
（項目１０）
前記英数字印は、前記可撓性カバー上にシルクスクリーン印刷されるか、または前記英数字印は、前記可撓性カバーの中にエンボス加工されるか、または前記英数字印は、前記可撓性カバー上に刻印される、項目１９に記載の物理的力容量式タッチセンサ。
（項目１１）
前記電気伝導性平面は、前記可撓性カバーの面上に配置されるインジウムスズ酸化物（ＩＴＯ）の層または前記可撓性カバーの面上に配置されるアンチモンスズ酸化物（ＡＴＯ）の層または前記可撓性カバーの面上に配置されるグラフェンの層である、項目３に記載の物理的力容量式タッチセンサ。
（項目１２）
前記光源は、エレクトロルミネセンス（ＥＬ）層または有機発光ダイオード（ＯＬＥＤ）層または発光材料の電気泳動コーティングである、項目７に記載の物理的力容量式タッチセンサ。
（項目１３）
前記容量センサ要素は、静電容量値測定回路の入力に結合され、前記電気伝導性平面は、電源コモンまたは接地に結合されるか、または前記容量センサ要素は、静電容量値測定回路の第１の入力に結合され、前記電気伝導性平面は、前記静電容量値測定回路の第２の入力に結合され、そしてスイッチが、前記電気伝導性平面および電源コモンまたは接地に結合され、前記スイッチが閉鎖されるとき、前記電気伝導性平面は、前記電源コモンまたは接地に結合され、そして開放されるとき、前記電気伝導性平面は、前記静電容量値測定回路の第２の入力と動作する、項目１に記載の物理的力容量式タッチセンサ。
（項目１４）
前記基板および前記容量センサ要素は、印刷回路基板から加工される、項目１に記載の物理的力容量式タッチセンサ。
（項目１５）
前記基板は、ガラス、プラスチック、金属、または非金属である、項目１に記載の物理的力容量式タッチセンサ。
（項目１６）
複数の物理的力容量式タッチセンサを有するユーザインターフェースであって、
基板と、
前記基板の面上の複数の容量センサ要素と、
前記複数の容量センサ要素のそれぞれ１つを囲繞する、実質的に変形不可能なスペーサと、
前記複数の容量センサ要素の個別の１つに近接するその一部を有する、電気伝導性平面と、
を備え、
機械的力が前記電気伝導性平面の少なくとも１つの部分に印加されるとき、それは前記複数の容量センサ要素のうちの個別の少なくとも１つに向かって付勢され、それによって、前記複数の容量センサ要素のうちの少なくとも１つは、静電容量値を変化させる、ユーザインターフェース。
（項目１７）
前記複数の容量センサ要素は、行列に配列される、項目１６に記載のユーザインターフェース。
（項目１８）
容量式タッチセンサ配列であって、
基板と、
前記基板の面上に線形または円形に配列されるか、または前記基板の面上に行列で配列される複数の容量センサ要素と、
前記複数の容量センサ要素を囲繞する、前記基板上の実質的に変形不可能なスペーサと、前記複数の容量センサ要素に近接する電気伝導性変形可能平面と、
を備え、
機械的力が前記電気伝導性平面の一部に印加されるとき、それは前記複数の容量センサ要素のうちの少なくとも１つに向かって付勢され、それによって、前記複数の容量センサ要素のうちの少なくとも１つは、静電容量値を変化させる、容量式タッチセンサ配列。
（項目１９）
前記電気伝導性変形可能平面にわたる可撓性カバーと、前記可撓性カバーの面を照射するための光源とをさらに備え、前記可撓性カバーおよび前記電気伝導性変形可能平面は、光透過性であって、前記機械的力が前記可撓性カバーに印加されるとき、前記電気伝導性変形可能平面は、前記複数の容量センサ要素のうちの少なくとも１つに向かって付勢される、項目１８に記載の容量式タッチセンサ配列。
（項目２０）
前記可撓性カバーと前記電気伝導性変形可能平面との間に位置する複数の小型台板をさらに備える、項目１９に記載の容量式タッチセンサ配列。
（項目２１）
前記複数の小型台板は、丸形、正方形、または長方形である、項目２０に記載の容量式タッチセンサ配列。
（項目２２）
前記電気伝導性変形可能平面の面を照射するための光源をさらに備える、項目１８に記載の容量式タッチセンサ配列。
（項目２３）
前記複数の容量センサ要素の個別の１つに結合される複数の入力を有する容量測定回路と、前記容量測定回路に結合され、前記複数の容量センサ要素の特定のセンサ要素の静電容量値の判定に基づいて、力位置情報を提供する、デジタルプロセッサとをさらに備え、前記デジタルプロセッサおよび前記容量測定回路は、マイクロコントローラの一部である、項目１８に記載の容量式タッチセンサ配列。
（項目２４）
物理的力容量式タッチキーであって、
基板と、
前記基板の面上の第１および第２の容量センサ要素と、
前記第１および第２の容量センサ要素を囲繞する、前記基板上の実質的に変形不可能なスペーサと、
前記第１および第２の容量センサ要素に近接する電気伝導性平面であって、前記電気伝導性平面は、可撓性で変形可能であり得、光透過性であり得る、電気伝導性平面と、を備え、
機械的力が前記電気伝導性平面に印加されるとき、それは前記第１および／または前記第２の容量センサ要素に向かって付勢され、それによって、前記第１および第２の容量センサ要素のうちの少なくとも１つは、静電容量値を変化させる、物理的力容量式タッチキー。
（項目２５）
前記電気伝導性平面にわたる可撓性カバーをさらに備え、前記可撓性カバーは、光透過性であり得、前記機械的力が前記可撓性カバーに印加されるとき、前記電気伝導性平面は、前記第１および／または前記第２の容量センサ要素に向かって付勢される、項目２４に記載の物理的力容量式タッチキー。
（項目２６）
前記可撓性カバーと前記電気伝導性平面との間に台板をさらに備える、項目２５に記載の物理的力容量式タッチキー。
（項目２７）
前記第１および第２の容量センサ要素の周囲の変形可能空間は、前記可撓性カバーおよび前記実質的に変形不可能なスペーサによって生成される、項目２５に記載の物理的力容量式タッチキー。
（項目２８）
前記可撓性カバーの面を照射するための光源をさらに備える、項目２５に記載の物理的力容量式タッチキー。
（項目２９）
前記第１および第２の容量センサ要素に結合される複数の入力を有する、容量測定回路と、
前記容量測定回路に結合され、前記第１および第２の容量センサ要素の静電容量値の判定に基づいて、力位置情報を提供する、デジタルプロセッサであって、デジタルプロセッサおよび前記容量測定回路は、マイクロコントローラの一部である、デジタルプロセッサと、をさらに備える、項目２４に記載の物理的力容量式タッチキー。
（項目３０）
物理的力容量式タッチジョイスティックであって、
基板と、
少なくとも３つの前記基板の面上の容量センサ要素と、
前記少なくとも３つの容量センサ要素を囲繞する、前記基板上の実質的に変形不可能なスペーサと、
台板と、
前記台板に取着され、前記少なくとも３つの容量センサ要素に近接する、電気伝導性平面と、
を備え、
機械的力が前記電気伝導性平面に印加されるとき、それは前記少なくとも３つの容量センサ要素のうちの少なくとも１つに向かって付勢され、それによって、前記少なくとも３つの容量センサ要素のうちの少なくとも１つは、静電容量値を変化させる、物理的力容量式タッチジョイスティック。
（項目３１）
前記台板に取着されるジョイスティックをさらに備え、機械的運動が前記ジョイスティックに印加されるとき、前記機械的力は、前記電気伝導性平面に印加される、項目３０に記載の物理的力容量式タッチジョイスティック。
（項目３２）
容量式タッチ円筒形センサであって、
円筒形に形成される基板と、
前記円筒形基板の面上に配列される複数の容量センサ要素と、
前記複数の容量センサ要素を囲繞する、前記基板上の実質的に変形不可能なスペーサと、前記複数の容量センサ要素に近接する電気伝導性変形可能円筒形スリーブと、を備え、
機械的力が前記電気伝導性変形可能円筒形スリーブの一部に印加されると、それは前記複数の容量センサ要素のうちの少なくとも１つに向かって付勢され、それによって、前記複数の容量センサ要素のうちの少なくとも１つは、静電容量値を変化させる、容量式タッチ円筒形センサ。
（項目３３）
前記電気伝導性変形可能円筒形スリーブにわたる可撓性カバーをさらに備え、前記機械的力が前記可撓性カバーに印加されるとき、前記電気伝導性変形可能円筒形スリーブは、前記複数の容量センサ要素のうちの少なくとも１つに向かって付勢される、項目３２に記載の容量式タッチスライダ。